(57)【要約】【課題】外観を悪化させることなく、両面テープを十分に圧着させて接着強度を確保できるようにする。【解決手段】携帯電話機１において、第１キャビネット３の周縁に両面テープ５が貼り付けられる第１平坦面３ａを形成し、第２キャビネット４の周縁に第１平坦面３ａに対応し、両面テープ５が貼り付けられる第２平坦面４ｃを形成する。第１キャビネット３の第１当接面３ｂと、第２キャビネット４の第２当接面４ｄとを両面テープ５の貼付時に第１キャビネット３及び第２キャビネット４の少なくとも一方の変形を許容するようにそれぞれ結合面Ｄに対して傾斜する面で互いに当接させる。【選択図】図１
2014216790.tif 000002
【特許請求の範囲】
【請求項１】
両面テープで接着される第１キャビネットと第２キャビネットとを有する携帯端末において、
上記第１キャビネットの周縁には、上記両面テープの一方の面が貼り付けられる第１平坦面が形成され、
上記第２キャビネットの周縁には、上記第１平坦面に対向し、上記両面テープの他方の面が貼り付けられる第２平坦面が形成され、
上記第１キャビネットの周縁における上記第１平坦面の外側の第１当接面と、
上記第２キャビネットの周縁における上記第２平坦面の外側の上記第１当接面に当接する第２当接面とは、
上記両面テープの貼付時に上記第１キャビネット及び上記第２キャビネットの少なくとも一方の変形を許容するように、それぞれ上記第１キャビネット及び第２キャビネットの結合面に対して傾斜する面で互いに当接している
ことを特徴とする携帯端末。
【請求項２】
請求項１に記載の携帯端末において、
上記両面テープ、上記第１平坦面、第２平坦面、第１当接面及び第２当接面は、矩形枠状であり、
上記第１当接面及び第２当接面は、外側に向かって該第１当接面及び第２当接面の一方側へ傾斜している
ことを特徴とする携帯端末。
【発明の詳細な説明】
【技術分野】
【０００１】
本発明は、両面テープで接着される第１キャビネットと第２キャビネットとを有する携帯端末に関するものである。
【背景技術】
【０００２】
従来より、平面視矩形の平板部と外周枠となる側壁部とから形成された容器と、平面視矩形の平板部と外周枠となる側壁部とから形成された蓋部材との間にガスケットを挟み込み、その状態で両者を押さえつけて固定し、防水性を確保する防水筐体が知られている。この防水筐体では、いずれの側壁部も平板部の四方全体に渡って平板部から垂直に立ち上がるように形成されている。
【先行技術文献】
【特許文献】
【０００３】
【特許文献１】特開２０１１−４４８８８号公報
【発明の概要】
【発明が解決しようとする課題】
【０００４】
しかしながら、上記特許文献１のような防水筐体では、蓋部材を容器に押さえつけるときに、垂直な一対の側壁部の先端の当接面がいずれも水平であるので、これらの当接面が当接すると、さらに蓋部材を押圧しても、ガスケットをそれ以上密着させることができない。
【０００５】
一方、近年、内蔵する充電池やメイン基板のサイズを大きくしながら薄さを薄く保つために、キャビネット間を両面テープで密着させて貼り付けることが行われている。
【０００６】
例えば、図５に示す携帯端末１０１では、第１キャビネット１０３の側壁部の第１当接面１０３ａと、第２キャビネット１０４の側壁部の第２当接面１０４ａとがいずれも水平であり、その水平な面で互いに当接しているので、いくら矢印の方向に力を加えても、両面テープ１０５をそれ以上押さえつけることができず、所要の粘着強度を得ることができないという問題がある。
【０００７】
そこで、所要の粘着強度を得るために図６に示す携帯端末２０１のように第１当接面２０３ａと第２当接面２０４ａとの間に隙間Ｃが生じるような寸法関係とすると、両面テープ２０５を十分な圧力で押圧できたとしても、押圧後に両面テープ２０５が元の厚さに復元されると、第１当接面２０３ａと第２当接面２０４ａとの間に隙間Ｃが生じてしまって見映えが悪いという問題がある。
【０００８】
本発明は、かかる点に鑑みてなされたものであり、その目的とするところは、外観を悪化させることなく、両面テープを十分に圧着させて接着強度を確保できるようにすることにある。
【課題を解決するための手段】
【０００９】
上記の目的を達成するために、この発明では、第１当接面と第２当接面とを両面テープの押圧方向に対して傾斜させるようにした。
【００１０】
具体的には、第１の発明では、両面テープで接着される第１キャビネットと第２キャビネットとを有する携帯端末を対象とし、
上記第１キャビネットの周縁には、上記両面テープの一方の面が貼り付けられる第１平坦面が形成され、
上記第２キャビネットの周縁には、上記第１平坦面に対向し、上記両面テープの他方の面が貼り付けられる第２平坦面が形成され、
上記第１キャビネットの周縁における上記第１平坦面の外側の第１当接面と、上記第２キャビネットの周縁における上記第２平坦面の外側の上記第１当接面に当接する第２当接面とは、上記両面テープの貼付時に上記第１キャビネット及び上記第２キャビネットの少なくとも一方の変形を許容するようにそれぞれ上記第１キャビネット及び第２キャビネットの結合面に対して傾斜する面で互いに当接している。
【００１１】
上記の構成によると、両面テープの圧着時に第１当接面と第２当接面とが傾斜面に沿って相対移動することにより、第１キャビネット及び第２キャビネットの少なくとも一方の変形を許容することができるので、両面テープを十分に圧着することができる。一方、圧着後には傾斜面に沿って元の形状に戻ることができるので、第１当接面と第２当接面との間の隙間をなくすことができ、外観が悪化しない。
【発明の効果】
【００１２】
以上説明したように、本発明によれば、第１キャビネットの周縁の第１当接面と、第２キャビネットの周縁の第２当接面とを、両面テープの貼付時に第１キャビネット及び第２キャビネットの少なくとも一方の変形を許容するようにそれぞれ傾斜面で互いに当接させたことにより、外観を悪化させることなく、両面テープを十分に圧着させて接着強度を確保できる。
【図面の簡単な説明】
【００１３】
【図１】本発明の実施形態に係る携帯電話機を示し、（ａ）が押圧開始時の拡大断面図であり、（ｂ）が第２キャビネットが変形する様子を示す拡大断面図である。
【図２】本発明の実施形態に係る携帯電話機を示し、（ａ）が正面側から見た斜視図であり、（ｂ）が背面側から見た斜視図である。
【図３】携帯電話機を示す分解斜視図である。
【図４】（ａ）がカバー部を示す正面図であり、（ｂ）が周縁部材を示す斜視図である。
【図５】従来技術に係る携帯電話機に係る図１（ａ）相当図である。
【図６】別の従来技術に係る携帯電話機に係る図１（ａ）相当図である。
【発明を実施するための形態】
【００１４】
以下、本発明の実施形態を図面に基づいて説明する。
【００１５】
図１は、本発明の実施形態に係る携帯電話機１を示し、（ａ）が押圧開始時の拡大断面図であり、（ｂ）が第２キャビネットが変形する様子を示す拡大断面図である。図２（ａ）が携帯電話機１を正面側から見た斜視図であり、図２（ｂ）が背面側から見た斜視図であり、図３は、分解斜視図である。この携帯電話機１は、例えば正面側に液晶表示部２が貼り付けられる第１キャビネット３を有し、この第１キャビネット３が、矩形枠状の両面テープ５により第２キャビネット４に接着されている。第１キャビネット３と第２キャビネット４との間の空間には、充電池６、メイン基板７等が内蔵されている。なお、図示しないが、両面テープ５は、中央のクッション部材の両側に接着層が積層されている。
【００１６】
第１キャビネット３の周縁には、両面テープ５が貼り付けられる矩形枠状の第１平坦面３ａが形成されている。第１平坦面３ａは、第２キャビネット４の丸みに合わせて外側に向かって正面側へ緩やかに傾斜している。第１平坦面３ａの外側の側壁背面側端部には、第１当接面３ｂが形成されている。第１当接面３ｂは、外側に向かって正面側へ緩やかに傾斜している。
【００１７】
図４に示すように、本実施形態の第２キャビネット４は、例えば図４（ａ）に示す外観を形成するカバー部４ａと、図４（ｂ）に示す両面テープ５が貼り付けられる矩形枠状の第２平坦面４ｃを有する周縁部材４ｂとが別々の材料で構成されている。例えば、樹脂成形品よりなるカバー部４ａを成形後、このカバー部４ａを金型に載置して周縁部材４ｂをインサート成形すればよい。なお、別々に成形した周縁部材４ｂをカバー部４ａに接着してもよい。第２平坦面４ｃも、第２キャビネット４の丸みに合わせて外側に向かって正面側へ緩やかに傾斜している。
【００１８】
そして、第１当接面３ｂと第２当接面４ｄとは、両面テープ５の貼付時に第１キャビネット３及び第２キャビネット４の少なくとも一方の変形を許容するようにそれぞれ矢印で示す押圧方向に対して傾斜する面で互いに当接している。つまり、第１当接面３ｂと第２当接面４ｄとは、液晶表示部２の表面に平行な第１キャビネット３と第２キャビネット４との結合面Ｄに対して外側に向かって正面側に傾斜している。第１当接面３ｂと第２当接面４ｄとは、幅方向では、幅方向外側に向かって正面側へ傾斜し、長手方向では、長手方向外側に向かって正面側へ傾斜しているのが望ましい。
【００１９】
次いで、第１キャビネット３と第２キャビネット４との貼付手順について説明する。
【００２０】
まず、第１キャビネット３の第１平坦面３ａに両面テープ５を貼り付ける。
【００２１】
次いで、第２キャビネット４を第２当接面４ｄが第１当接面３ｂに重なるように第１キャビネット３に近付けていく。そして、第２平坦面４ｃが両面テープ５に当接すると、所定の接着強度を得るために、図１（ａ）の白抜き矢印で示す方向に第２キャビネット４を第１キャビネット３に対して所定の荷重で押圧する。
【００２２】
すると、図１（ｂ）に示すように、液晶表示部２などが貼り付けられておらず、剛性の低い第２キャビネット４側が撓んで第２当接面４ｄが第１当接面３ｂに沿って相対移動する。このように、第２キャビネット４の変形が許容されるので、第１当接面３ｂと第２当接面４ｄとが当接した状態となっても、両面テープ５を十分に圧着することができる。
【００２３】
一方、圧着後には傾斜面に沿って元の２点鎖線で示す形状に戻ることができるので、第１当接面３ｂと第２当接面４ｄとの間の隙間Ｃ（図６に示す）をなくすことができ、外観が悪化しない。
【００２４】
また、両面テープ５、第１平坦面３ａ、第２平坦面４ｃ、第１当接面３ｂ及び第２当接面４ｄを矩形枠状とし、第１当接面３ｂ及び第２当接面４ｄを外側に向かって正面側へ傾斜させたことにより、変形しやすい第２キャビネット４側を正面側へ押圧して第２当接面４ｄを第１当接面３ｂに対して滑らせることができ、全周において両面テープ５を十分に押圧することができる。
【００２５】
したがって、本実施形態に係る携帯電話機１によると、外観を悪化させることなく、両面テープ５を十分に圧着させて接着強度を確保できる。
【００２６】
（その他の実施形態）
本発明は、上記実施形態について、以下のような構成としてもよい。
【００２７】
すなわち、上記実施形態では、両面テープ５を第１キャビネット３と第２キャビネット４の全周において接着させるようにしているが、外周の一部においてのみ接着させるようにしてもよい。この場合でも、第１平坦面３ａ及び第２平坦面４ｃの外側の第１当接面３ｂ及び第２当接面４ｄを結合面Ｄに対して傾斜させればよい。
【００２８】
また、上記実施形態では、第１当接面３ｂと第２当接面４ｄとを外側に向かって正面側に傾斜させているが、外側に向かって背面側に傾斜させてもよい。また、上記実施形態では、第１平坦面３ａ及び第２平坦面４ｃは、外側に向かって正面側に傾斜させているが、結合面Ｄに対して平行でもよく、外側に向かって背面側に傾斜させてもよい。その場合は、押圧位置を第２キャビネット４の変形がしやすい位置とすればよい。
【００２９】
上記実施形態では、携帯端末は、携帯電話機１としたが、ＰＨＳ（Personal Handy-phone System ）、ＰＤＡ(Personal Digital Assistant)、スマートフォン、パソコン、モバイルツール、電子辞書、電卓、ゲーム機等であってもよい。
【００３０】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００３１】
１      携帯電話機（携帯端末）
２      液晶表示部
３      第１キャビネット
３ａ    第１平坦面
３ｂ    第１当接面
４      第２キャビネット
４ａ    カバー部
４ｂ    周縁部材
４ｃ    第２平坦面
４ｄ    第２当接面
５      両面テープ
６      充電池
７      メイン基板
Ｄ      結合面
【図１】
2014216790.tif 000003
【図２】
2014216790.tif 000004
【図３】
2014216790.tif 000005
【図４】
2014216790.tif 000006
【図５】
2014216790.tif 000007
【図６】
2014216790.tif 000008